(57)【要約】【課題】上下反転させて設置場所に容易に対応させることができるだけでなく、メンテナンス作業を容易とすることができる給湯装置を提供する。【解決手段】ガスバーナ９及び熱交換器１１を有する給湯装置本体７と、給湯装置本体７を収容する直方体状の本体ケース６とを備える。本体ケース６の最も短い辺が高さ方向となる姿勢で設置し、高さ方向に交差する側の一側面を前面とする。本体ケース６に、前面に給湯装置本体７の保守点検作業が可能となる大きさに開口する開口部２２と、開口部を開閉自在に覆う前面パネル２５とを設ける。【選択図】図４
2019007720.tif 000002
【特許請求の範囲】
【請求項１】
ガスバーナ及び該ガスバーナの燃焼排気により加熱される熱交換器を有する給湯装置本体と、該給湯装置本体を収容する直方体状の本体ケースとを備え、前記本体ケースの最も短い辺が高さ方向となる姿勢で設置され、高さ方向に交差する側の一側面が前面とされた給湯装置において、
前記本体ケースは、前記前面に、前記給湯装置本体の保守点検作業が可能となる大きさに開口する開口部と、該開口部を開閉自在に覆う前面パネルとを備えることを特徴とする給湯装置。
【請求項２】
請求項１記載の給湯装置において、
前記本体ケースは、前記開口部に連続して下面の一部を開放する下部切欠き部を備え、
前記前面パネルは、前記開口部と下部切欠き部とを一体に覆う形状に形成されていることを特徴とする給湯装置。
【請求項３】
請求項１又は２記載の給湯装置において、
前記本体ケースは、前記開口部に連続して上面の一部を開放する上部切欠き部を備え、
前記前面パネルは、前記開口部と上部切欠き部とを一体に覆う形状に形成されていることを特徴とする給湯装置。
【発明の詳細な説明】
【技術分野】
【０００１】
本発明は、本体ケースの最も短い辺が高さ方向となる姿勢で設置される給湯装置に関する。
【背景技術】
【０００２】
従来、建物の天井に吊設する給湯装置が知られている（下記特許文献１参照）。このものは、本体ケースの下面を閉塞する蓋体を取り外すことにより本体ケースの下面を開放させて内部のメンテナンス作業を行うようになっている。
【先行技術文献】
【特許文献】
【０００３】
【特許文献１】特開２００３−１８５１６５号公報
【発明の概要】
【発明が解決しようとする課題】
【０００４】
しかし、本体ケースを天井に吊設した状態で、メンテナンス作業を行うとき、作業者は本体ケースの内部を見上げながら作業を行わなければならず、無理な姿勢が強いられて作業効率が低下する不都合がある。
【０００５】
更に、本体ケースの下面が開放されているので、誤って部品が外れても、それを受けるものがなく、部品が床面に落下するおそれがある。
【０００６】
上記の点に鑑み、本発明は、上下反転させて設置場所に容易に対応させることができるだけでなく、メンテナンス作業を容易とすることができる給湯装置を提供することを目的とする。
【課題を解決するための手段】
【０００７】
かかる目的を達成するために、本発明は、ガスバーナ及び該ガスバーナの燃焼排気により加熱される熱交換器を有する給湯装置本体と、該給湯装置本体を収容する直方体状の本体ケースとを備え、前記本体ケースの最も短い辺が高さ方向となる姿勢で設置され、高さ方向に交差する側の一側面が前面とされた給湯装置において、前記本体ケースは、前記前面に、前記給湯装置本体の保守点検作業が可能となる大きさに開口する開口部と、該開口部を開閉自在に覆う前面パネルとを備えることを特徴とする。
【０００８】
本発明の給湯装置は、本体ケースの最も短い辺が高さ方向となる姿勢で設置されるので、天井側に設けた狭いスペースに好適に設置することができる。また、本発明によれば、本体ケースの前面側（高さ方向に交差する側の一側面）に、前面パネルで覆った開口部を設けたので、開口部を前方に向けた状態を維持して給湯装置を天地反転させることができ、設置場所に容易に対応させることができる。
【０００９】
そして、本体ケースの前面側の開口部から給湯装置本体のメンテナンス作業を行うことができるので、従来のような本体ケースの下側を開放させる場合のように、メンテナンス作業時の作業者に無理な姿勢を強いることがなく、横方向から楽な姿勢でメンテナンス作業を行うことができる。更に、下面を開放することなく前面側の開口部からメンテナンス作業が行えることにより、作業中に誤って部品を落とすようなことがあっても、本体ケースの下面で受けることができ、部品が床上に落下して破損することが防止できる。
【００１０】
また、本発明において、前記本体ケースは、前記開口部に連続して下面の一部を開放する下部切欠き部を備え、前記前面パネルは、前記開口部と下部切欠き部とを一体に覆う形状に形成されていることが好ましい。
【００１１】
これによれば、開口部に隣接する下面の一部が下部切欠き部により開放されるので、特に給湯装置を天井に設けて高い位置で開口部が開放状態になったとき、メンテナンス作業時に本体ケースの内部に対して視野を広く確保することができると共に、メンテナンス時に使用する道具等が本体ケースに干渉することも少なくなり、メンテナンス作業を一層容易とすることができる。
【００１２】
また、本発明において、前記本体ケースは、前記開口部に連続して上面の一部を開放する上部切欠き部を備え、前記前面パネルは、前記開口部と上部切欠き部とを一体に覆う形状に形成されていることが好ましい。
【００１３】
上部切欠き部は、設置場所に対応させるために給湯装置を天地反転させたとき、本体ケースの下側に位置される。これにより、開口部に隣接する下面の一部が上部切欠き部により開放され、前記の下部切欠き部と同様の効果を得ることができる。
【図面の簡単な説明】
【００１４】
【図１】本発明の実施形態における給湯装置の設置状態を示す説明的側面図。
【図２】本実施形態の給湯装置の外観を示す斜視図。
【図３】給湯装置本体を示す斜視図。
【図４】前面パネルを取り外した状態を示す説明的斜視図。
【図５】図２の給湯装置の天地を反転させた状態を示す斜視図。
【図６】気液分離器及びエア抜き弁の取り付け状態を模式的に示す図。
【発明を実施するための形態】
【００１５】
本発明の一実施形態を図面に基づいて説明する。本発明の給湯装置１は、所謂天井設置型給湯装置であり、本実施形態における給湯装置１は、図１に示すように、ベランダ２の天井３に形成された空間である収納部４に設置されている。収納部４には、給湯装置１を載置する載置板５が設けられている。収納部４は、図中左側及び手前側が開放され、図中右側及び奥側が壁面で閉塞されている。
【００１６】
給湯装置１は、図２に示すように、直方体状の本体ケース６を備えている。本体ケース６の内部には、図３に示すように、給湯装置本体７が収容されている。
【００１７】
給湯装置本体７は、燃焼ファン８、ガスバーナ９、燃焼筐１０、熱交換器１１、及び給排気筒１２が横並びに配置して構成されている。更に、給湯装置本体７は、制御ユニット１３と、ガスバーナ９に燃料ガスを供給する燃料ガス供給管１４の開閉や燃料ガス流量の調節を行うバルブユニット１５とを備えている。
【００１８】
熱交換器１１には、給水管１６及び出湯管１７が接続されている。出湯管１７には、図外の給湯回路が接続される。また、給湯装置本体７は、給湯を停止している給湯回路に湯を循環させて即時出湯させる循環ポンプ１８を備えている。
【００１９】
循環ポンプ１８は、給湯回路に接続されて給湯回路内を循環した湯が戻る循環戻り管１９を備え、循環戻り管１９は、エア抜きを行うための気液分離器２０及びエア抜き弁２１を備えている。気液分離器２０及びエア抜き弁２１により循環ポンプ１８のエア噛みが防止される。
【００２０】
本体ケース６は、図１及び図２に示すように、最も短い辺が高さ方向となる姿勢で設置され、高さ方向に交差する側の一側面が前面とされる。図１に示した給湯装置１の設置状態においては、給湯装置１の本体ケース６は、図中左方に前面を向けている。
【００２１】
本体ケース６には、図４に示すように、前面全部を開放する開口部２２が形成されている。更に、本体ケース６には、開口部２２の下縁側に連続して下面前部を開放する下部切欠き部２３と、下部切欠き部２３の上方に対向して上面前部を開放する上部切欠き部２４とが形成されている。
【００２２】
開口部２２、下部切欠き部２３、及び上部切欠き部２４は、本体ケース６の前面パネル２５により覆われる。前面パネル２５は、開口部２２を覆う前板部２５ａと、前板部２５ａの下縁から延出して下部切欠き部２３を覆う下側片２５ｂと、前板部２５ａの上縁から延出して上部切欠き部２４を覆う上側片２５ｃとで構成され、図２に示すように、前板部２５ａの四隅部のビス２５ｄにより本体ケース６に固定される。
【００２３】
図４に示すように、前面パネル２５は、ビス２５ｄを外して本体ケース６から取り外すことにより、開放された開口部２２から、内部の燃焼ファン８、ガスバーナ９、燃焼筐１０、制御ユニット１３等の主要部品や配管、配線等が露出する。
【００２４】
従来の給湯装置のように、天井に設置されているものでは、メンテナンス作業時の作業者に対して作業しにくい姿勢を強いることが多い。本実施形態の給湯装置１は、前面パネル２５を取り外して本体ケース６の横方向に開口部２２を形成することができる。これにより、下面の板を取り外して下方に向かって開放させるようにした従来の給湯装置に比べて、メンテナンス作業時の作業者が楽な姿勢で作業することができ、また、メンテナンス作業時の部品の落下も防止することができる。
【００２５】
更に、本体ケース６には、開口部２２に連続する下側に下部切欠き部２３が形成されている。これにより、メンテナンス作業時に本体ケース６の内部に対して視野を広く確保することができると共に、道具等の本体ケース６への干渉も少なくすることができ、メンテナンス作業が一層容易となる。
【００２６】
また、図１に示す給湯装置１の設置状態においては、図２に示すように、本体ケース６の前面パネル２５に向かって右側に給排気筒１２が位置し、前面パネル２５に向かって左側に各管の接続端子部２６が位置する。
【００２７】
更に、天地方向を反転させ、図５に示すように、本体ケース６の前面パネル２５に向かって右側に各管の接続端子部２６が位置し、前面パネル２５に向かって左側に給排気筒１２が位置するように設置することもできる。
【００２８】
この場合には、本体ケース６の内部に収納された給湯装置本体７も天地が反転されるが、前面パネル２５を取り外して開口部２２が前方に向かって開放するので、天地反転してもメンテナンス作業が容易であることは変わらない。
【００２９】
更に、この場合、上部切欠き部２４が下側に位置して下部切欠き部２３と同様にメンテナンス作業が容易となる。
【００３０】
給湯装置本体７が本体ケース６と共に図２の状態から図５の状態に天地反転されると、給湯装置本体７が備える気液分離器２０及びエア抜き弁２１の上下が逆になってしまい、気液分離器２０及びエア抜き弁２１の機能が得られなくなる。そこで、本実施形態においては、簡単な作業で給湯装置本体７に対して気液分離器２０及びエア抜き弁２１を回転させることができるようになっている。
【００３１】
即ち、図６Ａ及び図６Ｂに模式的に示すように、気液分離器２０及びエア抜き弁２１は、循環ポンプ１８に接続された循環戻り管１９に設けられている。気液分離器２０は、循環戻り管１９に回転自在に接続された上流と下流で一対の接続部２７を備え、接続部２７が循環戻り管１９に対して回転しないように拘束する拘束具２８が着脱自在に取り付けられている。
【００３２】
拘束具２８はバネ材により形成されており、簡単な操作で接続部２７から取り外すことができるようになっている。拘束具２８を取り外すことにより、循環戻り管１９に対して接続部２７が回転自在となり、気液分離器２０及びエア抜き弁２１を上下に回転させることができる。
【００３３】
図６Ａに示した状態は本体ケース６の図２の姿勢に対応し、図６Ｂに模式的に示す状態は本体ケース６の図５の姿勢に対応している。本体ケース６が図２の姿勢から図５の姿勢に天地反転されるとき、気液分離器２０の接続部２７から拘束具２８を外して、気液分離器２０及びエア抜き弁２１を反転させる。
【００３４】
その後、接続部２７に拘束具２８を取り付けて気液分離器２０及びエア抜き弁２１の姿勢を固定する。
【００３５】
これによって、図６Ａに示すように、開口部２２の向かって左側に各管の接続部２６が位置する状態と、図６Ｂに示すように、開口部２２の向かって右側に各管の接続部２６が位置する状態との何れであっても、気液分離器２０及びエア抜き弁２１の上下の位置関係を維持することができる。
【００３６】
また、エア抜き弁２１の上部には、排水口２９が設けられている。排水口２９は、必要に応じて所望の方向に向けることができるように、水平方向に回転自在とされている。ただし、本実施形態のように、図６Ａに示した状態から図６Ｂに示した状態に変更する場合には、排水口２９の向きの変更は不要である。
【００３７】
また、本実施形態の給湯装置１においては、ベランダ２の天井３に設置されている例を示したが、これ以外に、図示しないが、本発明の給湯装置は、屋内の天井裏や、システムキッチンの天井側或いはシンク下の収納空間等に設置することもできる。
【符号の説明】
【００３８】
１…給湯装置、６…本体ケース、７…給湯装置本体、９…ガスバーナ、１１…熱交換器、２２…開口部、２３…下部切欠き部、２４…上部切欠き部、２５…前面パネル。
【図１】
2019007720.tif 000003
【図２】
2019007720.tif 000004
【図３】
2019007720.tif 000005
【図４】
2019007720.tif 000006
【図５】
2019007720.tif 000007
【図６】
2019007720.tif 000008